(57)【要約】【課題】本撮影前に本撮影に適した撮影パラメータを精度良く決定することが可能な撮像装置及び撮像方法を提供すること。【解決手段】本撮影前に撮影位置に関する位置情報を取得する位置情報取得部と、本撮影前に撮影時刻に関する時刻情報を取得する時刻情報取得部と、位置情報及び時刻情報のうち少なくとも１つに基づいて、本撮影前に撮影条件情報を取得する撮影条件情報取得部と、撮影条件情報に基づいて、本撮影時に設定される１又は複数の撮影パラメータを決定するパラメータ決定部とを有する。【選択図】図１
2010098697.tif 000002
【特許請求の範囲】
【請求項１】
本撮影前に撮影位置に関する位置情報を取得する位置情報取得部と、
前記本撮影前に撮影時刻に関する時刻情報を取得する時刻情報取得部と、
前記位置情報及び前記時刻情報のうち少なくとも１つに基づいて、前記本撮影前に撮影条件情報を取得する撮影条件情報取得部と、
前記撮影条件情報に基づいて、前記本撮影時に設定される１又は複数の撮影パラメータを決定するパラメータ決定部と
を有する、撮像装置。
【請求項２】
前記撮影条件情報取得部は、ネットワークを介して、外部のサーバ装置に前記位置情報及び前記時刻情報のうち少なくとも１つを送信し、前記サーバ装置から前記撮影条件情報を取得する、請求項１に記載の撮像装置。
【請求項３】
前記パラメータ決定部は、
複数の前記撮影パラメータの組合せからなる予め登録された複数のシーンモードを保持する保持部と、
前記位置情報、前記時刻情報及び前記撮影条件情報のうち少なくとも１つに対して、前記複数のシーンモードのうち対応するシーンモードがあるか否かを判断する判断部と、
前記対応するシーンモードがあると判断したとき、前記対応するシーンモードを選択して前記撮影パラメータを決定する選択部と
を有する、請求項１又は２に記載の撮像装置。
【請求項４】
前記パラメータ決定部は、
前記対応するシーンモードがないと判断したとき、前記シーンモードに依存せず、前記位置情報、前記時刻情報及び前記撮影条件情報のうち少なくとも１つに基づいて、前記撮影パラメータを抽出するパラメータ抽出部を有する、請求項３に記載の撮像装置。
【請求項５】
本撮影前に撮影位置に関する位置情報を取得するステップと、
前記本撮影前に撮影時刻に関する時刻情報を取得するステップと、
前記位置情報及び前記時刻情報のうち少なくとも１つに基づいて、前記本撮影前に撮影条件情報を取得するステップと、
前記撮影条件情報に基づいて、前記本撮影時に設定される１又は複数の撮影パラメータを決定するステップと
を有する、撮像方法。
【発明の詳細な説明】
【技術分野】
【０００１】
本発明は、撮像装置及び撮像方法に関する。
【背景技術】
【０００２】
デジタルスチルカメラやデジタルビデオカメラ等の撮像装置には、撮影時における被写体に応じて、撮影後の画像データが鮮明、きれい、又は見やすくなるように、撮影パラメータを設定できる機能が設けられている。また、周辺環境（撮影場面）に対応した複数のシーンモードを予め用意した撮像装置があり、その撮像装置を用いれば撮影場面に応じて撮影者が複数のシーンモードから１つのシーンモードを選択できる。例えば、夜景モードを予め有する撮像装置において、夜景を撮影する際、撮影者が夜景モードを選択して撮影をすると、夜景に適した露光やシャッタースピードが設定される。その結果、シーンモードを選択するだけで、撮影者の意図する画像データを得ることができる。
【０００３】
シーンモードは、通常、撮像装置の筐体に設けられたモードダイヤルや、画面に表示されたメニューから撮影者によって選択される。また、撮影者がシーンモードを選択しなくても、撮像装置がオートモードに設定されている場合に、撮像装置が撮影場面を判断し、適切な撮影パラメータを設定して、撮影を行う場合もある。
【０００４】
更に、特許文献１〜３には、撮影された画像データ内に記述された位置情報やその他の情報に基づいて撮影場面を推定し、画像データに対して画像処理を行う技術が開示されている。
【０００５】
【特許文献１】特開２００１−２３８１７７号公報
【特許文献２】特開２００７−２４３５５１号公報
【特許文献３】特開２００８−１４８３３３号公報
【発明の開示】
【発明が解決しようとする課題】
【０００６】
しかし、上記特許文献１〜３では、撮影後の画像データに対して、ユーザが画像処理を行う必要があった。しかし、一般的なユーザは適切な画像を得るために必要な画像処理の知識がない場合が多い。また、例えば、特許文献２では、画像処理の専門知識に乏しいユーザでも簡便に画像処理ができる技術が提案されているが、ユーザにはどのシーンモードを設定すれば所望の画像が得られるかという知識がない場合もある。更に、撮像装置で撮影して得られた画像データに対して、個人で画像処理をするユーザは少数である。そのため、多くのユーザが適切な画像を簡単に得ることができないという問題があった。
【０００７】
また、撮像装置がオートモードに設定されている場合に、撮像装置が撮影場面を判断し、適切な撮影パラメータを設定して、撮影を行う場合であっても、撮影前に露光条件を考慮しているだけであるため、適切な撮影場面を選択できないという問題があった。
【０００８】
そこで、本発明は、上記問題に鑑みてなされたものであり、本発明の目的とするところは、本撮影前に本撮影に適した撮影パラメータを精度良く決定することが可能な、新規かつ改良された撮像装置及び撮像方法を提供することにある。
【課題を解決するための手段】
【０００９】
上記課題を解決するために、本発明のある観点によれば、本撮影前に撮影位置に関する位置情報を取得する位置情報取得部と、本撮影前に撮影時刻に関する時刻情報を取得する時刻情報取得部と、位置情報及び時刻情報のうち少なくとも１つに基づいて、本撮影前に撮影条件情報を取得する撮影条件情報取得部と、撮影条件情報に基づいて、本撮影時に設定される１又は複数の撮影パラメータを決定するパラメータ決定部とを有する撮像装置が提供される。
【００１０】
かかる構成により、位置情報取得部が、本撮影前に撮影位置に関する位置情報を取得し、時刻情報取得部が、本撮影前に撮影時刻に関する時刻情報を取得し、撮影条件情報取得部が、位置情報及び時刻情報のうち少なくとも１つに基づいて、本撮影前に撮影条件情報を取得し、パラメータ決定部が、撮影条件情報に基づいて、本撮影時に設定される１又は複数の撮影パラメータを決定する。
【００１１】
上記撮影条件情報取得部は、ネットワークを介して、外部のサーバ装置に位置情報及び時刻情報のうち少なくとも１つを送信し、サーバ装置から撮影条件情報を取得する。かかる構成により、撮影条件情報として、例えば、天候情報、店舗情報、周辺施設情報、イベント情報等を取得できる。
【００１２】
上記パラメータ決定部は、複数の撮影パラメータの組合せからなる予め登録された複数のシーンモードを保持する保持部と、位置情報、時刻情報及び撮影条件情報のうち少なくとも１つに対して、複数のシーンモードのうち対応するシーンモードがあるか否かを判断する判断部と、対応するシーンモードがあると判断したとき、対応するシーンモードを選択して撮影パラメータを決定する選択部とを有する。かかる構成により、撮影場所や撮影日時等の撮影条件が、シーンモードと合致すると判断された場合、そのシーンモードで撮影できるように、当該シーンモードが選択される。
【００１３】
上記パラメータ決定部は、対応するシーンモードがないと判断したとき、シーンモードに依存せず、位置情報、時刻情報及び撮影条件情報のうち少なくとも１つに基づいて、撮影パラメータを抽出するパラメータ抽出部を有する。かかる構成により、撮影場所や撮影日時等の撮影条件が、シーンモードと合致しないと判断されたとき、位置情報、日時情報、周辺施設情報などに基づいて、撮影に適した撮影パラメータが抽出される。
【００１４】
また、上記課題を解決するために、本発明の別の観点によれば、本撮影前に撮影位置に関する位置情報を取得するステップと、本撮影前に撮影時刻に関する時刻情報を取得するステップと、位置情報及び時刻情報のうち少なくとも１つに基づいて、本撮影前に撮影条件情報を取得するステップと、撮影条件情報に基づいて、本撮影時に設定される１又は複数の撮影パラメータを決定するステップとを有する撮像方法が提供される。
【００１５】
かかる構成により、本撮影前に撮影位置に関する位置情報が取得され、本撮影前に撮影時刻に関する時刻情報が取得され、位置情報及び時刻情報のうち少なくとも１つに基づいて、本撮影前に撮影条件情報が取得され、撮影条件情報に基づいて、本撮影時に設定される１又は複数の撮影パラメータが決定される。
【発明の効果】
【００１６】
本発明によれば、本撮影前に本撮影に適した撮影パラメータを精度良く決定することができる。
【発明を実施するための最良の形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
（一実施形態の構成）
まず、本発明の一実施形態に係る撮像装置１００の構成について説明する。図１は、本実施形態に係る撮像装置１００の構成を示すブロック図である。撮像装置１００は、例えばデジタルスチルカメラであり、静止画像を撮影することができる。
【００１９】
本実施形態に係る撮像装置１００は、例えば、光学ブロック１０１と、駆動部１０２と、撮像素子１０３と、アナログ処理回路１０４と、画像処理部１０５と、ＭＰＵ１１０と、ＲＯＭ１２１と、ＲＡＭ１２２と、操作入力Ｉ／Ｆ１２３と、操作入力部１２４と、表示制御部１２５と、表示部１２６と、メモリカードＩ／Ｆ１２７と、メモリカード１２８と、外部入出力Ｉ／Ｆ１２９と、ＧＰＳ通信部１３０と、無線通信部１４０などからなる。
【００２０】
光学ブロック１０１は、例えば、ズームレンズ、絞り、フォーカスレンズなどからなる。光学ブロック１０１は、外部の光情報を撮像素子１０３に結像させる光学系システムであり、被写体からの光を撮像素子１０３まで透過させる。ズームレンズは、焦点距離を変化させて画角を変えるレンズである。絞りは、透過する光量を調節する機構であり、ズームレンズ用モータによって駆動される。フォーカスレンズは、光軸方向に移動することで撮像素子１０３の撮像面に被写体像を合焦させる。フォーカスレンズは、フォーカスレンズ用モータによって駆動される。モータは、それぞれ駆動部１０２から駆動信号を受けて駆動する。
【００２１】
撮像素子１０３は、光電変換素子の一例であり、光学ブロック１０１を透過して入射した光情報を電気信号に変換する光電変換が可能な複数の素子から構成される。各素子は受光した光に応じた電気信号を生成する。撮像素子１０３は、ＣＣＤ（charge  coupled  device）センサー、ＣＭＯＳ（complementary  metal  oxide  semiconductor）センサー等を適用することができる。
【００２２】
なお、撮像素子１０３の露光時間を制御するため、非撮影時に光を遮って撮影時のみ光が当たるように、メカニカルシャッター（図示せず。）を適用することができる。また、これに限定されず、電子シャッター（図示せず。）を適用してもよい。なお、メカニカルシャッター又は電子シャッターの動作は、シャッターボタン（操作入力部１２４）のスイッチによって行われる。
【００２３】
アナログ処理回路１０４は、例えばＣＤＳ／ＡＭＰ部、Ａ／Ｄ変換部、画像入力コントローラを有する。ＣＤＳ／ＡＭＰ部（相関二重サンプリング回路（correlated  double  sampling）／増幅器（amplifier））は、撮像素子１０３から出力された電気信号に含まれる低周波ノイズを除去すると共に、電気信号を任意のレベルまで増幅する。Ａ／Ｄ変換部は、ＣＤＳ／ＡＭＰ部から出力された電気信号をデジタル変換してデジタル信号を生成する。Ａ／Ｄ変換部は、生成したデジタル信号を画像入力コントローラに出力する。
【００２４】
画像入力コントローラは、Ａ／Ｄ変換部から出力されたデジタル信号に対して処理を施し、画像処理が可能となる画像信号を生成する。画像入力コントローラは、生成した画像信号を例えば画像処理部１０５に出力する。また、画像入力コントローラは、ＲＡＭ１２２への画像データの読み書きを制御する。
【００２５】
画像処理部１０５は、画像入力コントローラから画像信号を受け、ＷＢ制御値、γ値、輪郭強調制御値などに基づいて、画像処理された画像信号を生成する。画像処理部１０５は、画像信号に基づいてＡＥ評価値及びＡＦ評価値を算出して、それぞれをＭＰＵ１１０に送る。
【００２６】
画像処理部１０５は、圧縮処理を行ってもよく、圧縮処理前の画像信号を受けて、例えばＪＰＥＧ圧縮形式、又はＬＺＷ圧縮形式などの圧縮形式で画像信号を圧縮処理する。画像処理部１０５は、圧縮処理で生成した画像データを例えばメモリカードＩ／Ｆに送る。
【００２７】
ＭＰＵ１１０は、例えばＲＯＭ１２１に記録されたプログラムによって演算処理装置及び制御装置として機能し、撮像装置１００内に設けられた各構成要素の処理を制御する。ＭＰＵ１１０は、例えば、フォーカス制御や露出制御に基づいて駆動部１０２に信号を出力して光学ブロック１０１を駆動させる。また、ＭＰＵ１１０は、操作入力部１２４からの信号に基づいて撮像装置１００の各構成要素を制御する。なお、本実施形態においては、ＭＰＵ１１０が１つだけからなる構成であるが、信号系の命令と操作系の命令とを別々のＭＰＵで行うなど複数のＭＰＵから構成されてもよい。
【００２８】
ＭＰＵ１１０は、例えば、タイミングジェネレータと、適正ＡＷＢ算出部と、ビデオＡＦ制御部と、フォーカス制御部と、ＡＥ制御部と、絞り制御部と、画像処理選択部と、ＧＵＩ管理部などを有する。
【００２９】
タイミングジェネレータは、撮像素子１０３やＣＤＳ／ＡＭＰ部にタイミング信号を出力し、撮像素子１０３を構成している各画素の露光期間の制御や、電荷の読み出し制御を行う。
【００３０】
適正ＡＷＢ算出部は、撮像素子１０３で受光した被写体像に応じた画像信号の色情報に基づいて、ＷＢ制御値を算出する。適正ＡＷＢ算出部は、例えば、被写体に応じた適正なホワイトバランス（ＷＢ）が得られるようにＷＢ制御値を算出する。適正ＡＷＢ算出部は、算出したＷＢ制御値を画像処理部１０５に送る。
【００３１】
ビデオＡＦ制御部は、画像処理部１０５で算出されたＡＦ（auto  focus：自動焦点）評価値に基づいて、フォーカスレンズの合焦位置を算出する。なお、ＡＦ評価値は、画像信号の輝度値に基づいて画像処理部１０５で算出されたものである。ＡＦ評価値は、例えば画像のコントラスト値であり、コントラスト値がピークとなったとき、被写体像が撮像素子１０３の撮像面で合焦していると判断する（コントラスト検出方式）。
【００３２】
フォーカス制御部は、フォーカス制御開始の操作信号を受けると、フォーカスレンズを一方向に移動する制御信号を生成して、生成した制御信号を駆動部１０２に出力する。駆動部１０２は、フォーカス制御部から受けた制御信号に基づいて駆動信号を生成する。駆動部１０２は、生成した駆動信号をモータに送る。駆動部１０２は、フォーカス制御時、フォーカスレンズを光軸方向に駆動する。
【００３３】
ＡＥ制御部は、画像処理部１０５で算出されたＡＥ（auto  exposure：自動露光）評価値に基づいて、絞りの絞り量やシャッター速度を算出する。なお、ＡＥ評価値は、画像信号の輝度値に基づいて画像処理部１０５で算出されたものである。ＡＥ制御部は、算出の結果得られた絞り量を絞り制御部に出力する。
【００３４】
絞り制御部は、取得した絞り量を制御信号として駆動部１０２に出力する。絞り制御部は、撮影時に、本撮影に用いる絞り値に基づいて光量を制御する。駆動部１０２は、絞り制御部から受けた制御信号に基づいて駆動信号を生成する。駆動部１０２は、生成した駆動信号をモータに送る。
【００３５】
画像処理選択部は、画像信号に対するガンマ補正、輪郭強調処理などの画像処理を行うか否かを選択したり、各画像処理に必要なパラメータを設定したりする。画像処理選択部は、選択結果や設定したパラメータを画像処理部１０５に送る。
【００３６】
ＧＵＩ管理部は、表示部１２６に表示される画像のサムネイル画面や、撮像装置１００の操作のためのメニュー画面などのＧＵＩ（graphic  user  interface）を管理する。ＧＵＩ管理部は、例えば、操作入力部１２４からの操作信号を受けて、操作信号に基づいた制御信号を表示制御部１２５に送る。
【００３７】
ＲＡＭ１２２は、例えば、ＳＤＲＡＭ（synchronous  DRAM）であり、撮影した画像の画像データを一時的に保存する。ＲＡＭ１２２は、複数の画像の画像データを記憶できる記憶容量を有している。また、ＲＡＭ１２２は、フォーカス制御時の画像信号を順次保持し、画像信号を出力する。また、ＲＡＭ１２２は、ＭＰＵ１１０の動作プログラムを保存する。ＲＡＭ１２２への画像の読み書きは、画像入力コントローラによって制御される。
【００３８】
操作入力部１２４は、例えば、撮像装置１００に設けられた上下左右キー、電源スイッチ、モードダイヤル、シャッターボタンなどである。操作入力部１２４は、ユーザによる操作に基づいて操作信号を操作入力Ｉ／Ｆ１２３を介してＭＰＵ１１０等に送る。例えば、シャッターボタンは、ユーザによる半押し、全押し、解除が可能である。シャッターボタンは、半押し（Ｓ１操作）されたときフォーカス制御開始の操作信号を出力し、半押し解除でフォーカス制御が終了する。また、シャッターボタンは、全押し（Ｓ２操作）されたとき、撮影開始の操作信号を出力する。
【００３９】
表示制御部１２５は、例えばＶＲＡＭから画像データを受けて、ＬＣＤ（liquid  crystal  display：液晶画面）、有機ＥＬディスプレイ等の表示部１２６に画像を表示する。表示部１２６は、撮像装置１００本体に設けられる。表示部１２６が表示する画像は、例えば、ＶＲＡＭから読み出された撮影前の画像（ライブビュー表示）、撮像装置１００の各種設定画面や、撮像して記録された画像などである。
【００４０】
ＶＲＡＭ（video  RAM）は、画像表示用のメモリであり、複数のチャネルを有する。ＶＲＡＭは、ＲＡＭ１２２からの画像表示用の画像データの入力と、表示制御部１２５への画像データの出力を同時に実行できる。表示部１２６の解像度や最大発色数はＶＲＡＭの容量に依存する。
【００４１】
メモリカードＩ／Ｆ１２７は、メモリカード１２８への画像データの書き込み、又はメモリカード１２８に記録された画像データや設定情報などの読み出しを制御する。メモリカード１２８は、磁気ディスク、半導体記憶媒体などであり、撮影された画像データを記録する。なお、本実施形態は、メモリカードに限定されず、例えば、光ディスク（ＣＤ、ＤＶＤ、ブルーレイディスク等）、光磁気ディスクなどでもよい。メモリカード１２８は、撮像装置１００から着脱可能に構成されてもよい。
【００４２】
外部入出力Ｉ／Ｆ１２９は、例えば、ＵＳＢ端子、IEEE  1394端子等であり、外部装置と接続可能なインターフェースである。各種データは、外部入出力Ｉ／Ｆ１２９を介して、情報処理装置１００に各種情報や指令が入力される。
【００４３】
ＧＰＳ通信部１３０は、ＧＰＳ衛星から電波を受信して現在位置の位置情報を取得する。ここで、位置情報とは、現在位置の例えば緯度、経度、高度などである。
【００４４】
無線通信部１４０は、無線ＬＡＮアクセスポイントに接続して、インターネット等のネットワークからデータを受信したり、ネットワークにデータを送信したりする。なお、本実施形態では、ネットワークに接続される手段として無線を用いる場合について説明するが、これに限定されず、有線で撮像装置１００とネットワークが接続されるとしてもよい。
【００４５】
また、ＭＰＵ１１０は、位置情報取得部と、時刻情報取得部と、撮影条件情報取得部と、パラメータ決定部とを有する。位置情報取得部は、本撮影前に、ＧＰＳ通信部１３０又は無線通信部１４０が受けた撮影位置に関する位置情報を取得する。時刻情報取得部は、本撮影前に、ＧＰＳ通信部１３０又は無線通信部１４０が受けた撮影時刻に関する時刻情報、又は撮像装置１００本体に設けられた時計が有する時刻情報を取得する。
【００４６】
撮影条件情報取得部は、位置情報及び時刻情報のうち少なくとも１つに基づいて、本撮影前に撮影条件情報を取得する。例えば、撮影条件情報取得部は、無線通信部１４０及びネットワークを介して、外部のサーバ装置に位置情報及び時刻情報のうち少なくとも１つを送信し、サーバ装置から撮影条件情報を取得する。
【００４７】
パラメータ決定部は、撮影条件情報に基づいて、本撮影時に設定される１又は複数の撮影パラメータを決定する。
【００４８】
パラメータ決定部は、保持部と、判断部と、選択部と、パラメータ抽出部を有する。保持部は、複数の撮影パラメータの組合せからなる予め登録された複数のシーンモードを保持する。判断部は、位置情報、時刻情報及び撮影条件情報のうち少なくとも１つに対して、複数のシーンモードのうち対応するシーンモードがあるか否かを判断する。選択部は、対応するシーンモードがあると判断したとき、対応するシーンモードを選択して撮影パラメータを決定する。また、パラメータ抽出部は、対応するシーンモードがないと判断したとき、シーンモードに依存せず、位置情報、時刻情報及び撮影条件情報のうち少なくとも１つに基づいて、撮影パラメータを抽出する。
【００４９】
なお、撮像装置１００における一連の処理は、ハードウェアで処理してもよいし、コンピュータ上のプログラムによるソフトウェア処理で実現してもよい。
【００５０】
（一実施形態の動作）
次に、図２を参照して、本実施形態に係る撮像装置１００の動作について説明する。図２は、本実施形態に係る撮像装置の動作を示すフローチャートである。
【００５１】
まず、撮像装置１００の電源がＯＮにされた時、本撮影前に、ＧＰＳ又は無線ＬＡＮ（設定によっては両方）による通信を開始する（ステップＳ１０１、Ｓ１０２）。そして、ＧＰＳ又は無線ＬＡＮそれぞれによって、取得可能な情報を受信し、撮像装置１００にその情報を取り込む（ステップＳ１０３、Ｓ１０４）。例えば、ＧＰＳによって取得可能な情報とは、位置情報（例えば、緯度、経度など）や、日時情報である。
【００５２】
また、無線ＬＡＮによって、取得可能な情報とは、例えば、撮像装置１００が、インターネット等のネットワークに接続された特定のサーバ、又は不特定のサーバにアクセスすることによって得られる情報である。例えば、位置情報（建物内のフロアや特定のエリア等）、日時情報（日付情報、時刻情報）、天候情報、店舗情報、周辺施設情報、イベント情報等である。天候情報、店舗情報、周辺施設情報、イベント情報は、撮影条件情報の一例である。天候情報、店舗情報、周辺施設情報、イベント情報を取得するためには、撮像装置１００がサーバにアクセスする際、撮像装置１００は、位置情報、日時情報等を送信する。
【００５３】
次に、撮像装置１００が取得した情報に基づいて、それぞれの情報を解析する。例えば、ＧＰＳ又は無線ＬＡＮのＬＡＮアクセスポイント等によって得られた位置情報を解析する（ステップＳ１０５）。これにより、撮影者が撮影を行う場所を判断することができる。また、ＧＰＳ、無線ＬＡＮ、又は撮像装置１００に内蔵された時計によって得られた日時情報を解析する（ステップＳ１０６）。これにより、撮影者が撮影を行う日時を判断することができる。
【００５４】
また、無線ＬＡＮによって得られた天候情報を解析する（ステップＳ１０７）。これにより、撮影する場所が屋外であるとき、又は屋内で窓際であるときなどの撮影場所の明るさ、色を判断することができる。
【００５５】
更に、ＧＰＳ又は無線ＬＡＮによって得られた位置情報、周辺施設情報に基づいて、撮影場所が屋内であるか、又は屋外であるかを解析する（ステップＳ１０８）。このとき、ＧＰＳ又は無線ＬＡＮによって得られた周辺施設（建物）情報、店舗情報等の付随情報も解析する（ステップＳ１０９）。
【００５６】
屋内／屋外解析により、屋外であると判断されれば、日時情報と天候情報に基づいて、想定される太陽光の強さを決定する。一方、屋内であると判断されれば、周辺施設情報から、施設に応じた屋内の明るさを想定し、屋内での光の明るさを決定する。このとき、決定される太陽光や屋内の明るさは、１つであってもよいし、異なる複数の明るさであってもよい。
【００５７】
次に、上述した解析結果に基づいて、撮影時に設定すべき撮像装置１００のシーンモード、又は撮影パラメータを決定する（ステップＳ１１０）。例えば、解析結果から得られる撮影場所や撮影日時等の撮影条件が、撮像装置１００内に予め登録されているシーンモードに適切に合致するかどうかを判断する（ステップＳ１１１）。シーンモードと合致すると判断された場合、そのシーンモードで撮影できるように、当該シーンモードを選択する（ステップＳ１１２）。一方、シーンモードと合致しないと判断された場合、位置情報、日時情報、周辺施設情報などに基づいて、撮影に適した撮影パラメータ候補を抽出する（ステップＳ１１３）。抽出される撮影パラメータ候補は、１つでもよいし、複数でもよい。撮影パラメータとは、例えば、本撮影時の撮影条件を調整可能なパラメータであり、ＩＳＯスピード、ホワイトバランス調整値、露光量などが含まれる。
【００５８】
次に、本撮影前のパラメータ選択の際、候補となった撮影パラメータで本撮影されたとき、撮影結果がどのような画像になるかを示すサンプルプレビューを表示部１２６（ディスプレイ）に表示する（ステップＳ１１４）。複数のシーンモードや複数の撮影パラメータ候補が選択されたときは、例えば、ユーザがプレビュー表示を要求したとき、想定されるシーンモードや撮影パラメータ設定に対応した複数のサンプル画像を表示する。そして、ユーザがサンプル画像の中から１つの画像を選択することによって、本撮影に用いられる撮影パラメータが決定され、本撮影前に撮影パラメータが撮像装置１００に設定される。そして、シャッターボタンが全押しされたとき、設定された撮影パラメータに基づいて撮影が実行され、画像データが取得される（ステップＳ１１５）。
【００５９】
以上のように、ユーザが所望する画像を撮影するためのパラメータは、ユーザが操作、選択することなく撮像装置１００によって想定される。そのため、ユーザは容易に撮影を開始することができる。
【００６０】
（ＧＰＳ又は無線ＬＡＮから取得可能な情報について）
次に、図３を参照して、撮像装置１００がＧＰＳ又は無線ＬＡＮから取得可能な情報について説明する。図３は、本実施形態の撮像装置１００がＧＰＳ又は無線ＬＡＮから取得可能な情報を示した説明図である。
【００６１】
ＧＰＳから取得可能な情報には、例えば、位置情報、時刻情報、日付情報などがある。また、無線ＬＡＮから取得可能な情報には、例えば、位置情報、時刻情報、日付情報、天候情報、店舗情報、周辺施設情報、イベント情報がある。
【００６２】
ここで、店舗情報とは、位置情報に基づいて得られる情報である。店舗情報は、例えば、建物内のフロア情報、店舗が提供するサービス情報などである。また、周辺施設情報とは、位置情報に基づいて得られる情報である。周辺施設情報の周辺施設とは、例えば、飲食店、体育館、ホール、駐車場、ホテルなどの施設である。また、イベント情報とは、位置情報や日時情報に基づいて得られる情報である。イベント情報のイベントとは、ホール等で開催されるコンサート（更に具体的にクラシック音楽コンサート、ポップ音楽コンサート等）、店舗が開催するバーゲン情報、体育館、競技場等で行われるスポーツイベント、ある地域で開催される花火大会、お祭り等である。
【００６３】
（シーンモード、撮影（調整）パラメータについて）
次に、図４を参照して、撮像装置１００が設定可能なシーンモード、撮影（調整）パラメータについて説明する。図４は、撮像装置１００が設定可能なシーンモード、撮影（調整）パラメータを示す説明図である。
【００６４】
シーンモードは、撮影シーンに応じて適切な画像が得られるように、撮像装置１００内に予め登録された各種撮影（調整）パラメータの組み合わせからなる。シーンモードには、図４（Ａ）に示すように、例えば、スノー、ビーチ、風景、ポートレート、子供、マクロ、夕日、夜明け、バックライト、花火、逆光（強制フラッシュ）などがある。シーンモードは、被写体や撮影場所、撮影時間を想定して、各種撮影（調整）パラメータが組み合わされる。
【００６５】
撮影（調整）パラメータは、本撮影時の設定条件や、画像処理時の画像処理条件を調整できるパラメータである。撮影（調整）パラメータには、図４（Ｂ）に示すように、例えば、ＩＳＯスピード、露出補正、カラーバランス、シャープネス、ホワイトバランス、ノイズリダクション、赤目補正、フラッシュ強度等がある。
【００６６】
図２を用いて説明したステップＳ１１１において、ＧＰＡ又は無線ＬＡＮから得られた情報に基づいて、撮像装置１００に予め登録されたシーンモードに、撮影日時や場所が合致した場合は、合致したシーンモードによるパラメータ設定をすることができる。しかし、シーンモードのパラメータ設定だけでは、適切な画像を得るため不十分な場合がある。そこで、本実施形態では、ＧＰＡ又は無線ＬＡＮから得られた情報に基づいて、撮影日時や場所を想定して、撮影（調整）パラメータを直接設定できるようにしている。
【００６７】
次に、本実施形態の撮像装置１００がパラメータを設定する場合の具体的な例について説明する。図５及び図６は、撮像装置１００が取得した情報と、撮像装置１００が想定するパラメータの関係を示す説明図である。
【００６８】
図５を参照して、例えば、撮像装置１００がイベント情報として「花火大会」という情報を取得したときについて説明する。
【００６９】
撮像装置１００は、取得した位置情報、周辺施設情報、周辺施設と撮像装置１００との間の距離などから、撮影場所が屋内であるか、又は屋外であるかを判断する。花火大会のケースでは、屋外という情報が得られる。また、撮像装置１００は、取得した位置情報やイベント情報、イベントが行われる場所と撮像装置１００との間の距離などから、撮影場所が、イベントが行われる場所であるかを判断する。花火大会のケースでは、撮影場所が花火大会の会場であると判断される。イベント情報として、花火大会以外のイベント、例えばスポーツイベントと判断されると、後述するシーンモードの選択などは、スポーツイベントに対応した処理が行われる。また、日付情報に基づいて、花火大会の開催日であるかが判断される。
【００７０】
更に、取得した天候情報や時刻情報を解析し、解析して得られた天候情報や時刻情報によって想定される撮影シーン（撮影場面）に応じて、シーンモードが選択されたり、撮影パラメータ候補が抽出されたりする。例えば、図５に示すように、晴れで日中であれば、花火打ち上げ前の時間帯であるから、人物や風景などの撮影に適したオートモードや逆光モードが選択される。また、晴れで夕刻であれば、夕刻の人物や風景などの撮影に適した、オートモード、逆光モード、夕日モードが選択される。
【００７１】
更に、晴れで夜であれば、花火打ち上げの最中であるから、花火モード、オートモード＋フラッシュＯＮ、露出ＵＰ＋ＩＳＯ高が選択される。花火モードは、花火自体を撮影することに適している。露出ＵＰ＋ＩＳＯ高は、露出を上げて、ＩＳＯスピードを高くすることで、花火打ち上げ中に人物を撮影することに適している。更に、撮影（調整）パラメータのノイズリダクションを強くしてもよい。
また、雨や曇りであれば、例えば、露出ＵＰ＋ＩＳＯ高が選択される。
【００７２】
図６を参照して、例えば、撮像装置１００が周辺施設情報として「カラオケ店」という情報を取得したときについて説明する。
【００７３】
撮像装置１００は、取得した位置情報、周辺施設情報、周辺施設と撮像装置１００との間の距離などから、撮影場所が屋内であるか、又は屋外であるかを判断する。カラオケ店のケースでは、屋内という情報が得られる。また、撮像装置１００は、カラオケ店のケースでは、撮影場所がカラオケ店内であると判断される。
【００７４】
このときは、天候情報や時刻情報、日付情報に関わらず、カラオケ店内での撮影シーン（撮影場面）に応じて、シーンモードが選択されたり、撮影パラメータ候補が抽出されたりする。カラオケ店内は暗い場合が多いため、例えば、図６に示すように、暗い中での人物の撮影に適したオートモード＋フラッシュＯＮ、又は露出ＵＰ＋ＩＳＯ高が選択される。
【００７５】
上記の通り、撮像装置１００は、合致するシーンモードがある場合は、そのシーンモードを選択してもよいし、合致するシーンモードがない場合は、各種撮影パラメータを調整してもよい。例えば、屋外／屋内、天候情報などから撮影者が花火自体を撮影しようとしているのではないと想定されるときは、上述したような適切な撮影パラメータの組み合わせを設定することができる。これにより、撮像装置１００に詳しい知識を持たないユーザにも、適切な画像を得るための撮影に適したパラメータを提供することが可能となる。
【００７６】
なお、図５及び図６に示したような、撮像装置１００が取得した情報と、撮像装置１００が想定するパラメータの関係の関係は、予め撮像装置１００のメモリ内に保持される。
【００７７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００７８】
【図１】本発明の一実施形態に係る撮像装置の構成を示すブロック図である。
【図２】同実施形態に係る撮像装置の動作を示すフローチャートである。
【図３】同実施形態の撮像装置がＧＰＳ又は無線ＬＡＮから取得可能な情報を示した説明図である。
【図４】同実施形態の撮像装置が設定可能なシーンモード、撮影（調整）パラメータを示す説明図である。
【図５】同実施形態の撮像装置が取得した情報と、撮像装置が想定するパラメータの関係を示す説明図である。
【図６】同実施形態の撮像装置が取得した情報と、撮像装置が想定するパラメータの関係を示す説明図である。
【符号の説明】
【００７９】
１０１      光学ブロック
１０２      駆動部
１０３      撮像素子
１０４      アナログ処理回路
１０５      画像処理部
１１０      ＭＰＵ
１２１      ＲＯＭ
１２２      ＲＡＭ
１２３      操作入力Ｉ／Ｆ
１２４      操作入力部
１２５      表示制御部
１２６      表示部
１２７      メモリカードＩ／Ｆ
１２８      メモリカード
１２９      外部入出力Ｉ／Ｆ
１３０      ＧＰＳ通信部
１４０      無線通信部
【図１】
2010098697.tif 000003
【図２】
2010098697.tif 000004
【図３】
2010098697.tif 000005
【図４】
2010098697.tif 000006
【図５】
2010098697.tif 000007
【図６】
2010098697.tif 000008